(57)【要約】【課題】  本発明は、挟持具として好適に使用し得ると共に、使用後はコンパクトに収納できる挟持具を提供することを目的とする。【解決手段】  一対の縦に長い長尺部材１２を含んで成り、一の長尺部材１２ａの一端部１４ａに、くびれ部１６が形成され、他の長尺部材１２ｂの一端部１４ｂに、一の長尺部材１２ａの一端部１４ａを挿通可能な貫通孔１８が形成され、貫通孔１８の横方向の幅１８ｗが、一の位置１８１でくびれ部１６のくびれ幅１６ｗより大きく且つ一の長尺部材１２ａの一端部１４ａの横幅１４ｗより小さくされ、他の位置１８２で横幅１４ｗより小さくされた挟持具１０である。【選択図】  図１
0003118726.tif 000002
【実用新案登録請求の範囲】
【請求項１】
一対の縦に長い長尺部材を含んで成り、
一の前記長尺部材の一端部に、くびれ部が形成され、
他の前記長尺部材の一端部に、前記一の長尺部材の一端部を挿通可能な貫通孔が形成され、
該貫通孔の横方向の幅が、一の位置で前記くびれ部のくびれ幅より大きく且つ前記一の長尺部材の一端部の横幅より小さくされ、他の位置で該横幅より小さくされた挟持具。
【請求項２】
一対の縦に長い長尺部材を含んで成り、
一の前記長尺部材の一端部に、くびれ部が形成され、
他の前記長尺部材の一端部に、前記一の長尺部材の一端部を差し込み可能な切欠きが、縦方向に形成され、
該切欠きの横方向の幅が、一の位置で前記くびれ部のくびれ幅より大きく且つ前記一の長尺部材の一端部の横幅より小さくされ、他の位置で該横幅より小さくされた挟持具。
【請求項３】
一対の縦に長い長尺部材を含んで成り、
一の前記長尺部材及び他の前記長尺部材の各々の一端部に、横方向に切欠き部が形成された挟持具。
【請求項４】
前記一の長尺部材の他端部の片面及び／又は前記他の長尺部材の他端部の片面に、滑り止め加工が施された請求項１乃至請求項３の何れかに記載の挟持具。
【請求項５】
前記一の長尺部材の他端部の片面及び／又は前記他の長尺部材の他端部の片面に、凹部が形成された請求項１乃至請求項４の何れかに記載の挟持具。
【請求項６】
前記一の長尺部材の他端部の側縁部及び／又は前記他の長尺部材の他端部の側縁部に、刃又は鋸歯が形成された請求項１乃至請求項５の何れかに記載の挟持具。
【請求項７】
前記長尺部材が竹製である請求項１乃至請求項６の何れかに記載の挟持具。
【考案の詳細な説明】
【技術分野】
【０００１】
本考案は、料理や調理用材料等の対象物を挟持するために使用される挟持具に関する。
【背景技術】
【０００２】
従来、調理の際や大皿料理を取り分ける際には、菜箸や取り箸、トングといった挟持具が使用されている。その中でもトングは、菜箸や取り箸に比べて調理物等を安定的、且つ容易に挟持することができるため好適に使用されており、氷用、パスタ用、サラダ用、揚げ物用等、用途に応じて種々の態様のものが出回っている。
【０００３】
トングの態様としては、一対の長尺部材に係る各々の一端部を連結し、この連結した部分（以下、「連結部」という。）に、各々の他端部を離反する方向へ付勢する板バネ等の付勢手段を配設することにより構成されているものが一般的である（例えば、特許文献１参照）。この態様のトングは、一対の長尺部材を手で握り、各々の他端部を近接させることによって、対象物を挟持することができる。
【０００４】
また、他の態様として、一の長尺部材を、その長手方向の中央部で湾曲或いは折曲し、全体形状がＵ字状、Ｖ字状を維持するように形成されたトングも多数存在する。この態様のトングは、一の長尺部材の有する弾性反発力を利用したものであって、湾曲・折曲された部分を支点として、離反した状態に維持されている一の長尺部材に係る両端部を近接させることによって、対象物を挟持することができる。
【特許文献１】実用新案登録第３０７１４７５号公報（図１）
【考案の開示】
【考案が解決しようとする課題】
【０００５】
しかし、上記のような従来のトングには、収納時に場所を取るという問題がある。つまり、従来のトングは、一対の長尺部材が予め連結され、或いは一の長尺部材が湾曲・折曲され、且つ対象物を挟持するための部分（前者では、一対の長尺部材に係る各々の他端部、後者では一の長尺部材に係る両端部）が離反した状態で維持されるように構成されているため、未使用時のトングは、その全体形状がＵ字状或いはＶ字状に維持された状態となっている。従って、このＵ字状或いはＶ字状に維持されたトングを収納する際には、菜箸や取り箸に比べて広い収納スペースを確保する必要がある。
【０００６】
また、トングの収納時に、別体の固定具や結束具が使用される場合もある。つまり、トングに係る対象物を挟持するための部分、つまり離反した状態に維持されている部分を固定具等により近接させた状態に維持して収納することによって、トングをそのままの状態で収納する場合に比べて若干の省スペース化を図ることができる。しかし、上記の態様に係る連結部や湾曲・折曲された部分の幅を変更することはできず、収納時には少なくともこの連結部等が収納可能なスペースを確保する必要がある。
【０００７】
そこで本考案者は、上記の問題点に鑑み、挟持具として好適に使用し得ると共に、使用後はコンパクトに収納できる挟持具を提供するべく鋭意検討を重ねた結果、本考案に至ったのである。
【課題を解決するための手段】
【０００８】
即ち、本考案の要旨とするところは、一対の縦に長い長尺部材を含んで成り、一の前記長尺部材の一端部に、くびれ部が形成され、他の前記長尺部材の一端部に、前記一の長尺部材の一端部を挿通可能な貫通孔が形成され、該貫通孔の横方向の幅が、一の位置で前記くびれ部のくびれ幅より大きく且つ前記一の長尺部材の一端部の横幅より小さくされ、他の位置で該横幅より小さくされた挟持具であることにある。
【０００９】
また、本考案の挟持具の要旨とするところは、一対の縦に長い長尺部材を含んで成り、一の前記長尺部材の一端部に、くびれ部が形成され、他の前記長尺部材の一端部に、前記一の長尺部材の一端部を差し込み可能な切欠きが、縦方向に形成され、該切欠きの横方向の幅が、一の位置で前記くびれ部のくびれ幅より大きく且つ前記一の長尺部材の一端部の横幅より小さくされ、他の位置で該横幅より小さくされたことにもある。
【００１０】
更に、本考案の挟持具の要旨とするところは、一対の縦に長い長尺部材を含んで成り、一の前記長尺部材及び他の前記長尺部材の各々の一端部に、横方向に切欠き部が形成されたことにもある。
【００１１】
また、かかる挟持具において、前記一の長尺部材の他端部の片面及び／又は前記他の長尺部材の他端部の片面には、滑り止め加工が施されることが好ましい。
【００１２】
また、かかる挟持具において、前記一の長尺部材の他端部の片面及び／又は前記他の長尺部材の他端部の片面には、凹部が形成されてもよい。
【００１３】
更に、かかる挟持具において、前記一の長尺部材の他端部の側縁部及び／又は前記他の長尺部材の他端部の側縁部には、刃又は鋸歯が形成されてもよい。
【００１４】
また更に、かかる挟持具において、前記長尺部材は竹製であることが好ましい。
【考案の効果】
【００１５】
本考案の挟持具によると、従来のトングと同様、対象物を安定的、且つ容易に挟持することができると共に、挟持具を収納する際には一対の長尺部材を重ねた状態で収納することができるため、非常にコンパクトに収納することができ、広い収納スペースを確保する必要がない。
【００１６】
また、本考案に係る長尺部材の他端部に、滑り止め加工が施されることによって、対象物を挟持する際、対象物が滑り落ち難くなり、挟持具による挟持が更に確実且つ容易に行い得る。
【００１７】
更に、本考案に係る長尺部材の他端部に、凹部や刃、鋸歯等を形成することによって、本考案の挟持具が対象物の挟持以外の用途にも使用可能となり、従来の挟持具に比べて多用途の挟持具を提供できる。
【００１８】
また更に、本考案に係る長尺部材を竹製とすることによって、竹の撓りにより適度な力加減で容易に対象物を挟持することができると共に、和の趣があり、食卓で取り箸の代わりとしても好適に使用し得る挟持具が提供できる。
【考案を実施するための最良の形態】
【００１９】
以下、本考案の挟持具の実施形態について、図面に基づき説明するが、本考案は以下に示す実施形態に限定されるものではない。
【００２０】
本考案の実施形態に係る挟持具１０は、図１及び図２に示すように、一対の縦に長い長尺部材１２で構成されている。この一対の長尺部材１２は、一の長尺部材１２ａと、他の長尺部材１２ｂとで対をなし、一の長尺部材１２ａ及び他の長尺部材１２ｂは、各々の長さ・横幅・形状等が略同一の薄板状の長尺部材である。
【００２１】
一の長尺部材１２ａには、その一端部１４ａにくびれ部１６が形成されている。くびれ部１６は、長尺部材１２ａの一端部１４ａの横幅１４ｗより幅狭になされた部分である。つまり、くびれ部１６のくびれ幅１６ｗは、一端部１４ａの横幅１４ｗより幅狭であれば特に限定されないが、くびれ部１６の強度の観点から、くびれ部１６は、一端部１４ａの横幅１４ｗより幅狭となる範囲内で可能な限り幅広に形成されることが好ましい。
【００２２】
一方、他の長尺部材１２ｂの一端部１４ｂには、貫通孔１８が形成されている。貫通孔１８の大きさについては、まず少なくとも一の長尺部材１２ａの一端部１４ａを挿通可能であることが必要であり、本実施形態に係る貫通孔１８の縦方向（他の長尺部材１２ｃの縦方向に平行方向）の幅１８Ｌは、一端部１４ａの横幅１４ｗより若干長めに設定されている。更に、貫通孔１８の横方向（他の長尺部材１２ｂの横方向に平行方向）の幅１８ｗについて、少なくとも貫通孔１８の一の位置１８１における幅１８１ｗは、くびれ部１６のくびれ幅１６ｗより大きく、且つ一の長尺部材１２ａの一端部１４ａの横幅１４ｗより小さくされ（１６ｗ＜１８１ｗ＜１４ｗ）、他の位置１８２における幅１８２ｗは、横幅１４ｗより小さくされている（１８２ｗ＜１４ｗ）。すなわち、貫通孔１８の他の位置１８２における幅１８２ｗは、一の長尺部材１２ａの一端部１４ａの横幅１４ｗより小さくされていれば特に限定されず、図示したように、一の位置１８１における幅１８１ｗより小さくされてもよく、或いは幅１８１ｗと同じか、それ以上にされてもよい。但し、後述するように、一対の長尺部材１２を挟持具として使用する際には、貫通孔１８内にくびれ部１６が位置することとなり、貫通孔１８内におけるくびれ部１６の位置ズレを小さくできる観点から、貫通孔１８の他の位置１８２における幅１８２ｗは、図示したように一の位置１８１における幅１８１ｗより小さくするほうが好ましい。
【００２３】
つまり、貫通孔１８は、一の長尺部材１２ａの一端部１４ａを挿通可能であって、且つ少なくとも一の位置１８１において、くびれ部１６のくびれ幅１６ｗを直径とする円が収まる縦方向及び横方向の幅を備えていれば、他の位置１８２の形状や大きさ等は特に限定されない。従って、貫通孔１８の形状も、上記の要件を満たすものであれば特に限定されず、図示した形状の他、楕円形、卵形、菱形、矩形、正方形、台形、三角形、瓢箪形等、何れであってもよい。
【００２４】
本実施形態に係る挟持具１０は、以上のような、くびれ部１６が形成された一の長尺部材１２ａと、貫通孔１８が形成された他の長尺部材１２ｂとで対をなす一対の長尺部材１２により構成されている。この一対の長尺部材１２を挟持具１０として使用する際には、まず他の長尺部材１２ｂに形成された貫通孔１８に、一の長尺部材１２ａの一端部１４ａを挿入する。そして、くびれ部１６が貫通孔１８に達した位置で、他の長尺部材１２ｂを９０度回転させると、貫通孔１８の横方向の幅１８ｗより一の長尺部材１２ａの一端部１４ａの横幅１４ｗが大きいため、貫通孔１８から一の長尺部材１２ａが抜けなくなる。このようにして、一の長尺部材１２ａと他の長尺部材１２ｂとが係合されることによって、図１に示したような挟持具１０が得られる。
【００２５】
挟持具１０により対象物を挟持する際には、一の長尺部材１２ａと他の長尺部材１２ｂとが係合された部分（以下、「係合部」という。）を支点として、一の長尺部材１２ａの他端部１５ａと他の長尺部材１２ｂの他端部１５ｂとを近接させるように一対の長尺部材１２を握ることによって、各々の他端部１５ａ、１５ｂにより対象物を容易に挟持することができる。また、一対の長尺部材１２は各々板状部材であり、対象物を挟持するための他端部１５ａ、１５ｂは平面をなしているため、対象物を安定的に挟持することができる。
【００２６】
以上のように、本実施形態に係る挟持具１０は、対象物を容易に且つ安定的に挟持することができる。更に、挟持具１０を収納する際には、一対の長尺部材１２の係合を外し、一の長尺部材１２ａと他の長尺部材１２ｂとを重ねた状態で収納することができるため、非常にコンパクトに収納することができる。つまり、従来のトングの収納時のように広い収納スペースを確保する必要がない。
【００２７】
以上、本考案の実施形態に係る挟持具１０について詳述したが、本考案の挟持具は上記の形態に限定されず、その他の形態でも実施し得るものである。
【００２８】
例えば、図２に示した一対の長尺部材１２に係る他の長尺部材１２ｂを、図３に示した他の長尺部材１２ｃのような形態としてもよい。同図に示した一対の縦に長い長尺部材２２に係る他の長尺部材１２ｃには、その一端部１４ｃに、一の長尺部材１２ａの一端部１４ａを差し込み可能な切欠き２０が、縦方向に形成されている。そして、本実施形態に係る切欠き２０の横方向（他の長尺部材１２ｃの横方向に平行方向）の幅２０ｗについて、少なくとも切欠き２０の一の位置２０１における幅２０１ｗは、くびれ部１６のくびれ幅１６ｗより大きく、且つ一の長尺部材１２ａの一端部１４ａの横幅１４ｗより小さくされ（１６ｗ＜２０１ｗ＜１４ｗ）、他の位置２０２における幅２０２ｗは、横幅１４ｗより小さくされている（２０２ｗ＜１４ｗ）。すなわち、切欠き２０の他の位置２０２における幅２０２ｗは、一の長尺部材１２ａの一端部１４ａの幅１４ｗより小さくされていれば特に限定されず、図示したように、一の位置２０１における幅２０１ｗより小さくされてもよく、或いは幅２０１ｗと同じか、それ以上にされてもよい。
【００２９】
つまり、切欠き２０は、一の長尺部材１２ａの一端部１４ａを差し込み可能であって、且つ少なくとも一の位置２０１において、くびれ部１６のくびれ幅１６ｗを直径とする円が収まる縦方向及び横方向の幅を備えていれば、他の位置２０２の形状や大きさ等は特に限定されない。
【００３０】
以上の構成から成る一対の長尺部材２２を挟持具として使用する際には、まず他の長尺部材１２ｃに形成された切欠き２０に、一の長尺部材１２ａの一端部１４ａを差し込む。そして、くびれ部１６が切欠き２０における一の位置２０１に達した時点で、一の長尺部材１２ａを９０度回転させると、切欠き２０の横方向の幅２０ｗより一の長尺部材１２ａの一端部１４ａの横幅１４ｗが大きいため、切欠き２０から一の長尺部材１２ａが抜けなくなる。このようにして、一の長尺部材１２ａと他の長尺部材１２ｃとが係合されることによって、図１に示した挟持具１０と同様の挟持具が得られる。
【００３１】
更に他の実施形態として、本考案の挟持具は、図４に示した一対の縦に長い長尺部材３２から構成されたものであってもよい。同図に示した一対の長尺部材３２は、一の長尺部材１２ｄと、他の長尺部材１２ｅとから構成されている。そして、一の長尺部材１２ｄの一端部１４ｄには、横方向に切欠き部３０が形成されている。また、他の長尺部材１２ｅにも同様に、他の長尺部材１２ｅの一端部１４ｅには、横方向に切欠き部３０が形成されている。
【００３２】
以上の構成から成る一対の長尺部材３２を挟持具として使用する際には、一の長尺部材１２ｄ及び他の長尺部材１２ｅに形成された切欠き部３０同士を嵌合させることによって、図１に示した挟持具１０と同様の挟持具が得られる。
【００３３】
以上、本考案の挟持具に係る一対の長尺部材の種々の実施形態について説明したが、本考案の挟持具は上記の形態に限定されない。例えば、各図に示した長尺部材１２ａ〜１２ｅに係る他端部１５ａ、１５ｂ等（以下、「他端部１５」という。）には、図５に示したような滑り止め加工が施されることが好ましい。他端部１５の少なくとも片面に、長尺部材の横方向に細かい溝を形成したり（同図（ａ））、格子状に切り込みを形成したり（同図（ｂ））することによって、本考案の挟持具により対象物を挟持する際、対象物が滑り落ち難くなり、挟持具による挟持が更に確実且つ容易に行い得る。なお、他端部１５の両面に滑り止め加工を施しておくことが、一対の長尺部材を係合させる際に、滑り止め加工が施された面を考慮することなく一対の長尺部材を係合させることができる点で、より好ましい。
【００３４】
また、他端部１５の他の実施形態として、一対の長尺部材１２、２２、３２等に係る少なくとも一方の長尺部材、つまり一の長尺部材１２ａ等の他端部１５において、その片面に、例えば図６（ａ）に示したような凹部２４が形成されてもよい。本考案の挟持具に凹部２４を形成しておくことによって、挟持具を調理に使用する際、この凹部２４を味見用スプーンとして利用でき、別途味見用スプーンを準備する必要がない。更に、凹部２４の容量を例えば５ｃｃ、１５ｃｃ等に予め設定しておくことにより、この凹部２４を小さじや大さじとして使用でき、調味料の計量用としても好適に利用し得る。
【００３５】
更にまた、他端部１５の他の実施形態として、例えば図６（ｂ）に示したように、他端部１５の側縁部に、長尺部材の縦方向に沿って刃２６が形成されてもよく、或いは同図（ｃ）に示したような鋸歯２８が形成されてもよい。刃２６や鋸歯２８を形成することによって、本考案の挟持具で対象物を挟持するのみならず対象物を切ることもでき、調理時に対象物を少し切ってその内部を確認したり、料理の取り分け時に対象物を適当な大きさに切ってから挟持したりすることの可能な挟持具が提供できる。
【００３６】
また、他端部１５の更に他の実施形態として、例えば、従来のパスタ用トングと同様、他端部１５が櫛状に形成されてもよい。或いは、他端部１５が、長尺部材１２ａ、１２ｂ等における他端部１５以外の部分に比べて幅広に形成されてもよく、更には、他端部１５を縦方向及び／又は横方向に湾曲・屈曲させてもよい。つまり、本考案の挟持具においても、用途や挟持する対象物に応じて、長尺部材に係る他端部の形状、幅等を任意に設定することができる。
【００３７】
また更に、本考案の挟持具に係る一対の長尺部材の材質は特に限定されず、木製、ステンレス等の金属製、プラスチック等の樹脂製等、何れであってもよいが、材質に特有の撓りを有効活用し得る観点から、竹製であることが特に好ましい。一対の長尺部材を竹製とすることによって、対象物を挟持する際、竹の撓りにより適度な力加減で容易に対象物を挟持することができると共に、和の趣があり、食卓で取り箸の代わりとしても好適に使用し得る挟持具が提供できる。
【００３８】
なお、本考案に係る一対の長尺部材を、特に竹等の木製とする場合には、例えば図２に示した一の長尺部材１２ａにおいて、くびれ部１６の強度が問題となる。そこで、このくびれ部１６に、くびれ部１６の形状に合わせて別体の金属製、或いは樹脂製等から成る薄板部材を補強材として貼り合わせたり、くびれ部１６の外周に別体の補強具を巻き付けたり、くびれ部１６の部分の厚さを、一の長尺部材１２ａに係る他の部分に比べて厚くしたりすることによって、くびれ部１６を補強しておくことが好ましい。
【００３９】
以上に例示した本考案の実施形態に係る挟持具は、本考案の技術的思想を実質的に限定するものと解してはならない。本考案は、その要旨を逸脱しない範囲で、当業者の創意と工夫により、適宜に改良、変更又は追加をしながら実施されるものである。
【図面の簡単な説明】
【００４０】
【図１】本考案の挟持具の一実施形態を示した斜視図である。
【図２】図１に示した挟持具に係る一対の長尺部材の平面図である。
【図３】本考案に係る一対の長尺部材の他の実施形態を示した平面図である。
【図４】本考案に係る一対の長尺部材の更に他の実施形態を示した平面図である。
【図５】（ａ）及び（ｂ）は、本考案に係る長尺部材の他端部に施される滑り止め加工の態様を示した平面図である。
【図６】（ａ）、（ｂ）及び（ｄ）は、本考案に係る長尺部材の他端部の他の実施形態を示した平面図、（ｃ）は（ｂ）におけるＡ−Ａ端面図である。
【符号の説明】
【００４１】
１０：挟持具
１２、２２、３２：一対の長尺部材
１２ａ、１２ｄ：一の長尺部材
１２ｂ、１２ｃ、１２ｅ：他の長尺部材
１４ａ〜１４ｅ：一端部
１５ａ、１５ｂ：他端部
１６：くびれ部
１８：貫通孔
１８１、２０１：一の位置
１８２、２０２：他の位置
２０：切欠き
２４：凹部
２６：刃
２８：鋸歯
３０：切欠き部
【図１】
0003118726.tif 000003
【図２】
0003118726.tif 000004
【図３】
0003118726.tif 000005
【図４】
0003118726.tif 000006
【図５】
0003118726.tif 000007
【図６】
0003118726.tif 000008